(57)【要約】      （修正有）【課題】複雑な床の形状を容易に写し、カーペットを切断するための罫描を容易にするカーペット罫描具を提供する。【解決手段】一定幅で直線的な細長い板材３を多数結束した板群５の結束を行う結束手段７は、この結束の強さを調整する調整手段１１を有する。そして、このカーペット罫描具１を、板群５の先端が床の形状が複雑になっている部分に接しうる状態で置き、調整手段１１で結束の強さを弱くして各板が移動できるようにし、板群５を板の長手方向へ手で押すことで、板材３は、床の形状が凹んでいるところは大きく移動し、出っ張っているところは少し移動する。これにより、板群５の先端が描く形状で床の形状を写す。その後に、調整手段１１で結束の強さを強くして各板が移動できないようにし、カーペット罫描具１をカーペットの上に載せれば、板群５の先端が描く形状に沿って、容易に罫描が行える。【選択図】図１
2010150727.tif 000002
【特許請求の範囲】
【請求項１】
一定幅で直線的な細長い板材を多数結束した板群と、この結束を行う結束手段と、この結束の強さを調整する調整手段と、を有することを特徴とするカーペット罫描具。
【請求項２】
前記結束手段はベルトを有してなり、前記調整手段は前記ベルトの張力を調整する機構を有することを特徴とする請求項１に記載のカーペット罫描具。
【請求項３】
前記結束手段は前記板群を板厚方向へ囲む枠であり、前記調整手段は、前記枠の内部に前記枠の長辺に平行に配置された押え板と、この押え板を移動させて前記板群を押圧するために前記枠の長辺に設けられたネジと、を有することを特徴とする請求項１に記載のカーペット罫描具。
【請求項４】
前記板材は、その先端の板厚部分に、直角方向へ罫描針が突設されていることを特徴とする請求項１、２、または３に記載のカーペット罫描具。
【発明の詳細な説明】
【技術分野】
【０００１】
この発明は、カーペットを床の形状に沿って切断するために罫描するカーペット罫描具に関する。
【背景技術】
【０００２】
カーペットを床の形状に沿って切断するためには、Ｌ字状の金属定規などで床の形状を採寸し、その寸法通りに、カーペットの裏地に印を入れ、その印通りにカッターで切断する作業を行う。
なお、特許文献１には、斜めに配置されるカーペットタイルを、壁の線に合わせて斜めに切断するために、並行リンク機構を利用した治具が記載される。
また、特許文献２には、壁に沿ってカーペットを切断する装置が記載される。
【特許文献１】特開平１１−０２２１７５
【特許文献２】米国特許６２３０４１０
【発明の開示】
【発明が解決しようとする課題】
【０００３】
しかしながら、柱の出っ張りなどにより床の形状が複雑になっているときには、床の形状を採寸し、カーペットを切断する作業は面倒である。
この発明は、以上の問題点を解決するために、複雑な床の形状を容易に写し、カーペットの罫描を容易にするカーペット罫描具を提供することを目的とする。
【課題を解決するための手段】
【０００４】
以上の課題を解決するために、第一発明は、一定幅で直線的な細長い板材を多数結束した板群と、この結束を行う結束手段と、この結束の強さを調整する調整手段と、を有することを特徴とするカーペット罫描具である。
第二発明は、さらに、前記結束手段はベルトを有してなり、前記調整手段は前記ベルトの張力を調整する機構を有することを特徴とするカーペット罫描具である。
第三発明は、さらに、前記結束手段は前記板群を板厚方向へ囲む枠であり、前記調整手段は、前記枠の内部に前記枠の長辺に平行に配置された押え板と、この押え板を移動させて前記板群を押圧するために前記枠の長辺に設けられたネジと、を有することを特徴とするカーペット罫描具である。
第四発明は、さらに、前記板材は、その先端の板厚部分に、直角方向へ罫描針が突設されていることを特徴とするカーペット罫描具である。
【発明の効果】
【０００５】
第一、第二、第三、又は第四発明によれば、この発明のカーペット罫描具を、板群の先端が床の形状が複雑になっている部分に接しうる状態で置き、調整手段で結束の強さを弱くして各板が移動できるようにし、板群を板の長手方向へ手で押すことで、板材は、床の形状が凹んでいるところは大きく移動し、出っ張っているところは少し移動する。これにより、板群の先端が描く形状で床の形状を写すことができる。その後に、調整手段で結束の強さを強くして各板が移動できないようにし、カーペット罫描具をカーペットの上に載せれば、板群の先端が描く形状に沿って、容易に罫描が行える。
【０００６】
また、第二、又は第三発明によれば、簡易な構成で、カーペット罫描具の製造コストを抑えることができる。
また、第四発明によれば、床の形状を写した後に、調整手段で結束の強さを強くして各板が移動できないようにし、カーペット罫描具を裏返して、カーペットの裏側の上に載せ、板群の先端を打突、あるいは押圧などすれば、罫描針の跡がカーペットの裏側に印され、ペンなどを使わなくても、容易に罫描が行える。
【発明を実施するための最良の形態】
【０００７】
この発明の実施形態を、図１、図２に示す。
図１（Ａ）（Ｂ）に示すように、この実施形態にかかるカーペット罫描具１は、一定幅で直線的な細長い四角形の金属製の板材３を、多数枚、板厚方向へ重ね、結束した板群５を有する。板材３は、例えば、厚さ２から３ミリ、幅が２０ミリ、長さが３００から４００ミリである。結束の力が弱ければ、各板は互いに接しながらスライドできる。この結束を行う結束手段７は、板群５を板厚方向へ巻くスチール製のベルト９を有してなる。
【０００８】
図２に示すように、結束の強さを調整する調整手段１１は、ベルト９を引っ張って張力を調整する機構を有する。すなわち、ベルト９の一方の端部に、コの字状の金具１３が、コの字の両先端を中心に回動可能に、取付けられる。ベルト９の他方の端部には、略四角形の舌状の金属板１５が、先端を中心に回動可能に、取付けられる。この金属板１５には、両側に、コの字状の金具１３を引っかけるための耳部１７が形成される。コの字状の金具１３を引っかけたまま耳部１７を倒すと、コの字状の金具１３は強い張力により一度伸びた後で、縮み、そして、ベルト９の両端部を強く引っ張った状態で、結束できる。
【０００９】
図１（Ｃ）に示すように、各板材３は、その先端の板厚部分１９に、上向きに、板厚部分１９に対して直角方向へ罫描針２１が突設されている。
【００１０】
「使用方法」
このカーペット罫描具１を使用するには、まず、板群５の先端が、柱２８の出っ張りなどで床の形状が複雑になっている部分に接しうる状態で、カーペット罫描具１を床３０に置く。そして、調整手段１１を構成する舌状の金属板１５を起し、ベルト９の両端を離し、結束の強さを弱くする。これにより各板が移動できるようにする。そして、板群５を壁や柱に向かって、板の長手方向へ手で押す。
【００１１】
そうすると、板材３は、床の形状が凹んでいるところの板材３は大きく移動し、出っ張っているところの板材３は少し移動する。これにより、各板はそれぞれに移動する。そうして板群５の先端が描く形状は、床の形状を写すことになる（図１（Ａ））。
その後に、調整手段１１を構成する舌状の金属板１５を倒し、ベルト９の両端を引き寄せ、結束の強さを強くする。これにより、各板が移動できないようにする。そして、カーペット罫描具１をカーペット３１の上に載せ、板群５の先端が描く形状に沿って、マジックペンなどで、容易に罫描が行える。
【００１２】
あるいは、床の形状を写した後に、調整手段１１で結束の強さを強くして各板が移動できないようにし、カーペット罫描具１を裏返して、カーペット３１の裏側の上に載せる（図１（Ｂ））。そして、板群５の先端をハンマーで打突したり、足で踏んで押圧したり、手で強く押えたりして、罫描針２１（図１（Ｃ）参照）の跡がカーペット３１の裏側に印される。これにより、マジックペンなどを使わなくても、容易に罫描が行える。
罫描針２１は、板材３が結束手段７から抜けるのを防止するためのストッパーの働きもする。
【００１３】
「実施形態の効果」
この実施形態によれば、突出した柱などにより複雑になった床の形状を、定規などで採寸しなくても、容易に写し、カーペットの切断のための罫描を、容易に行うことができる。
【００１４】
「他の実施形態」
以上の実施形態では、結束手段７はベルト９を有してなり、調整手段１１はベルト９の張力を調整する機構を有するものであったが、他の実施形態では、たとえば図３（Ａ）に示すように、結束手段７は前記板群５を板厚方向へ囲む枠２３であり、調整手段１１は、枠２３の内部に、枠２３の長辺に平行に配置された押え板２５と、することができる。
【００１５】
すなわち、枠２３の長辺には、図３（Ｂ）（Ｃ）に示すように、二つのネジ２７が設けられ、このネジの先端２９は、押え板２５の上面に、回転可能に遊嵌されている。各ネジ２７を締めると、ネジの先端２９が下降し、この押え板２５を下方へ移動させて、板群５の板厚部分１９を押圧する（図３（Ｂ））。各ネジ２７を調整することで、押圧力を調整でき、よって結束の強さを調整できる。
また、他の実施形態では、調整手段は、板群の板材の間に打ち込まれる１本の、あるいは複数本の楔でもよい。
【図面の簡単な説明】
【００１６】
【図１】（Ａ）（Ｂ）は、この発明の一実施形態にかかるカーペット罫描具の使用状態を示す斜視図である。
【図２】（Ａ）は、図１のカーペット罫描具の結束手段を示す斜視図、（Ｂ）は、（Ａ）の調整手段の拡大図である。
【図３】（Ａ）は他の実施形態にかかるカーペット罫描具の結束手段を示す斜視図、（Ｂ）は（Ａ）の調整手段の拡大図、（Ｃ）は（Ｂ）の動作を示す図である。
【符号の説明】
【００１７】
１…カーペット罫描具、３…板材、５…板群、７…結束手段、９…ベルト、１１…調整手段、１３…コの字状の金具、１５…金属板、１７…耳部、１９…板厚部分、２１…罫描針、２３…枠、２５…押え板、２７…ネジ、２９…ネジの先端、３１・・カーペット。
【図１】
2010150727.tif 000003
【図２】
2010150727.tif 000004
【図３】
2010150727.tif 000005